(57)【要約】【課題】ペアリング作業を容易に行うことができる通信システム及びトイレシステムを提供する。【解決手段】操作部の操作に応じて無線信号を送信するリモコンと、リモコンからの無線信号に応じた動作を実行する主装置と、主装置から送信された無線信号に応じて動作を実行する接続機器と、を備え、リモコンは、操作部の所定の操作に応じて、識別情報を含む第１ペアリング信号を主装置に送信し、主装置は、第１ペアリング信号を受信して識別情報を記憶するとともに、識別情報を含む第２ペアリング信号を接続機器に送信し、識別情報を記憶した後には、識別情報の一致するリモコン及び接続機器のみと無線通信を行い、接続機器は、第２ペアリング信号を受信して識別情報を記憶するとともに、識別情報を記憶した後には、識別情報の一致する主装置のみと無線通信を行うことを特徴とする通信システムである。【選択図】図６
2018145688.tif 000002
【特許請求の範囲】
【請求項１】
操作部を有し、前記操作部の操作に応じて無線信号を送信するリモコンと、
前記リモコンと無線通信を介して接続され、前記無線信号を受信し、前記無線信号に応じた動作を実行する主装置と、
前記主装置と無線通信を介して接続され、前記主装置から送信された無線信号に応じて動作を実行する接続機器と、
を備え、
前記リモコンは、前記操作部の所定の操作に応じて、識別情報を含む第１ペアリング信号を前記主装置に送信し、
前記主装置は、前記第１ペアリング信号を受信して前記識別情報を記憶するとともに、前記識別情報を含む第２ペアリング信号を前記接続機器に送信し、前記識別情報を記憶した後には、前記識別情報の一致する前記リモコン及び前記接続機器のみと無線通信を行い、
前記接続機器は、前記第２ペアリング信号を受信して前記識別情報を記憶するとともに、前記識別情報を記憶した後には、前記識別情報の一致する前記主装置のみと無線通信を行うことを特徴とする通信システム。
【請求項２】
前記接続機器は、前記第２ペアリング信号を受信した後、前記主装置と受信した前記識別情報を照合し、
前記主装置は、前記接続機器との照合を行った後、前記リモコンと受信した前記識別情報を照合することを特徴とする請求項１記載の通信システム。
【請求項３】
前記リモコンは、前記接続機器の動作の設定を変更可能であることを特徴とする請求項１又は２に記載の通信システム。
【請求項４】
前記接続機器は、前記リモコンと無線通信を介して接続され、前記第１ペアリング信号を受信することにより、前記第２ペアリング信号を受信するための受信待機状態となることを特徴とする請求項１〜３のいずれか１つに記載の通信システム。
【請求項５】
前記リモコン、前記主装置、及び前記接続機器が、設置空間に設置された状態において、前記主装置から送信された無線信号に対する前記接続機器の受信感度は、前記リモコンから送信された無線信号に対する前記接続機器の受信感度よりも高いことを特徴とする請求項１〜４のいずれか１つに記載の通信システム。
【請求項６】
操作部を有し、前記操作部の操作に応じて無線信号を送信するリモコンと、
前記リモコンと無線通信を介して接続され、前記無線信号を受信し、前記無線信号に応じた動作を実行する衛生洗浄装置と、
前記衛生洗浄装置と無線通信を介して接続され、前記衛生洗浄装置から送信された無線信号に応じて動作を実行する接続機器と、
を備え、
前記リモコンは、前記操作部の所定の操作に応じて、識別情報を含む第１ペアリング信号を前記衛生洗浄装置に送信し、
前記衛生洗浄装置は、前記第１ペアリング信号を受信して前記識別情報を記憶するとともに、前記識別情報を含む第２ペアリング信号を前記接続機器に送信し、前記識別情報を記憶した後には、前記識別情報の一致する前記リモコン及び前記接続機器のみと無線通信を行い、
前記接続機器は、前記第２ペアリング信号を受信して前記識別情報を記憶するとともに、前記識別情報を記憶した後には、前記識別情報の一致する前記衛生洗浄装置のみと無線通信を行うことを特徴とするトイレシステム。
【発明の詳細な説明】
【技術分野】
【０００１】
本発明の態様は、一般的に、通信システム及びトイレシステムに関する。
【背景技術】
【０００２】
リモコンと、主装置と、を備えた通信システムがある。リモコンは、操作部を有し、使用者による操作部の操作に応じて無線信号を送信する。主装置は、リモコンから送信された無線信号を受信し、受信した無線信号に応じた動作を実行する。
【０００３】
こうした通信システムの一例として、例えば、リモコンと、衛生洗浄装置と、を備えたトイレシステムが知られている。衛生洗浄装置は、リモコンから送信された無線信号に応じて、便座に着座した使用者の局部を洗浄する局部洗浄などの所定の動作を実行する。
【０００４】
例えば、集合住宅や公共施設のトイレ室に設置されるトイレシステムでは、複数のトイレ室や複数のトイレブースのそれぞれにリモコン及び衛生洗浄装置が設けられる。この際、無線式のリモコンでは、通信範囲の広さから、異なるトイレ室やトイレブースに設けられた衛生洗浄装置を誤動作させてしまう可能性がある。このため、複数のリモコン及び複数の衛生洗浄装置を備えたトイレシステムでは、特定のリモコンから送信された無線信号に対して、特定の衛生洗浄装置のみが動作するように、リモコンと衛生洗浄装置とを関連付けるペアリングと呼ばれる作業が行われている（例えば、特許文献１）。
【０００５】
また、通信システムでは、主装置と別の機器とを無線通信を介してさらに接続し、主装置の動作に応じて別の機器を動作させる場合がある。例えば、トイレシステムでは、照明機器を衛生洗浄装置と無線通信を介して接続し、衛生洗浄装置による人体の検知に応じて照明機器を点灯させることにより、トイレシステムの設置された空間を照らすことが提案されている。
【０００６】
上記のように、別の機器をさらに接続する場合、主装置と接続機器との間においても、ペアリングを行う必要が生じる。さらに、リモコンと接続機器との間で通信を行う場合には、リモコンと接続機器との間においても、ペアリングを行う必要が生じる。また、トイレシステムでは、主装置に対して複数の機器を接続することも検討されている。そして、ペアリング作業は、接続する機器の数が増えるほど複雑となる。このため、通信システム及びトイレシステムでは、リモコンと主装置とを無線通信を介して接続するとともに、主装置と別の機器とをさらに無線通信を介して接続する場合においても、ペアリングの作業を容易に行えるようにすることが望まれる。
【先行技術文献】
【特許文献】
【０００７】
【特許文献１】特開２００７−２３９２６６号公報
【発明の概要】
【発明が解決しようとする課題】
【０００８】
本発明は、かかる課題の認識に基づいてなされたものであり、ペアリング作業を容易に行うことができる通信システム及びトイレシステムを提供することを目的とする。
【課題を解決するための手段】
【０００９】
第１の発明は、操作部を有し、前記操作部の操作に応じて無線信号を送信するリモコンと、前記リモコンと無線通信を介して接続され、前記無線信号を受信し、前記無線信号に応じた動作を実行する主装置と、前記主装置と無線通信を介して接続され、前記主装置から送信された無線信号に応じて動作を実行する接続機器と、を備え、前記リモコンは、前記操作部の所定の操作に応じて、識別情報を含む第１ペアリング信号を前記主装置に送信し、前記主装置は、前記第１ペアリング信号を受信して前記識別情報を記憶するとともに、前記識別情報を含む第２ペアリング信号を前記接続機器に送信し、前記識別情報を記憶した後には、前記識別情報の一致する前記リモコン及び前記接続機器のみと無線通信を行い、前記接続機器は、前記第２ペアリング信号を受信して前記識別情報を記憶するとともに、前記識別情報を記憶した後には、前記識別情報の一致する前記主装置のみと無線通信を行うことを特徴とする通信システムである。
【００１０】
この通信システムによれば、リモコンと主装置とを無線通信を介して接続するとともに、主装置と接続機器とをさらに無線通信を介して接続する場合においても、リモコンの操作部を操作することにより、各機器間のペアリングの作業を容易に行うことができる。また、ペアリングの作業のための専用の機器などを別途用意する必要もなく、通信システムの構成が複雑になったり、部品点数が増加したりすることも抑制することができる。すなわち、簡単な構成で容易にペアリングの作業を容易に行うことができる。
【００１１】
第２の発明は、第１の発明において、前記接続機器は、前記第２ペアリング信号を受信した後、前記主装置と受信した前記識別情報を照合し、前記主装置は、前記接続機器との照合を行った後、前記リモコンと受信した前記識別情報を照合することを特徴とする通信システムである。
【００１２】
この通信システムによれば、誤った識別情報を記憶してしまうことを抑制し、ペアリングの作業をより確実に行うことができる。
【００１３】
第３の発明は、第１又は第２の発明において、前記リモコンは、前記接続機器の動作の設定を変更可能であることを特徴とする通信システムである。
【００１４】
この通信システムによれば、設定を変更することによって接続機器に様々な動作を行わせることができ、通信システムの利便性を向上させることができる。
【００１５】
第４の発明は、第１〜第３のいずれか１つの発明において、前記接続機器は、前記リモコンと無線通信を介して接続され、前記第１ペアリング信号を受信することにより、前記第２ペアリング信号を受信するための受信待機状態となることを特徴とする通信システムである。
【００１６】
この通信システムによれば、接続機器を予め受信待機状態にすることにより、接続機器において第２ペアリング信号を受信し易くし、ペアリングの作業をより確実に行うことができる。
【００１７】
第５の発明は、第１〜第４のいずれか１つの発明において、前記リモコン、前記主装置、及び前記接続機器が、設置空間に設置された状態において、前記主装置から送信された無線信号に対する前記接続機器の受信感度は、前記リモコンから送信された無線信号に対する前記接続機器の受信感度よりも高いことを特徴とする通信システムである。
【００１８】
この通信システムによれば、リモコンと接続機器との間の無線通信が難しい環境であった場合でも、主装置から接続機器に第２ペアリング信号を送信することにより、主装置と接続機器との間のペアリングを確実に行うことができる。
【００１９】
第６の発明は、操作部を有し、前記操作部の操作に応じて無線信号を送信するリモコンと、前記リモコンと無線通信を介して接続され、前記無線信号を受信し、前記無線信号に応じた動作を実行する衛生洗浄装置と、前記衛生洗浄装置と無線通信を介して接続され、前記衛生洗浄装置から送信された無線信号に応じて動作を実行する接続機器と、を備え、前記リモコンは、前記操作部の所定の操作に応じて、識別情報を含む第１ペアリング信号を前記衛生洗浄装置に送信し、前記衛生洗浄装置は、前記第１ペアリング信号を受信して前記識別情報を記憶するとともに、前記識別情報を含む第２ペアリング信号を前記接続機器に送信し、前記識別情報を記憶した後には、前記識別情報の一致する前記リモコン及び前記接続機器のみと無線通信を行い、前記接続機器は、前記第２ペアリング信号を受信して前記識別情報を記憶するとともに、前記識別情報を記憶した後には、前記識別情報の一致する前記衛生洗浄装置のみと無線通信を行うことを特徴とするトイレシステムである。
【００２０】
このトイレシステムによれば、リモコンと主装置とを無線通信を介して接続するとともに、主装置と接続機器とをさらに無線通信を介して接続する場合においても、リモコンの操作部を操作することにより、各機器間のペアリングの作業を容易に行うことができる。また、ペアリングの作業のための専用の機器などを別途用意する必要もなく、トイレシステムの構成が複雑になったり、部品点数が増加したりすることも抑制することができる。すなわち、簡単な構成で容易にペアリングの作業を容易に行うことができる。
【発明の効果】
【００２１】
本発明の態様によれば、ペアリング作業を容易に行うことができる通信システム及びトイレシステムが提供される。
【図面の簡単な説明】
【００２２】
【図１】本発明の実施形態に係るトイレシステムの斜視図である。
【図２】実施形態に係るトイレシステムを表すブロック図である。
【図３】図３（ａ）及び図３（ｂ）は、実施形態に係るトイレ装置の平面図及び斜視図である。
【図４】実施形態に係るトイレシステムを表す正面図である。
【図５】図５（ａ）及び図５（ｂ）は、実施形態に係るリモコンを表す斜視図である。
【図６】実施形態に係るトイレシステムの動作の一例を表すフローチャートである。
【図７】実施形態に係るトイレシステムの別の動作を表すフローチャートである。
【図８】実施形態に係るトイレシステムの変形例を表すブロック図である。
【図９】変形例のトイレシステムの動作の一例を表すフローチャートである。
【図１０】実施形態に係るトイレシステムの別の動作を表すフローチャートである。
【図１１】実施形態に係るトイレシステムの別の動作を表すフローチャートである。
【発明を実施するための形態】
【００２３】
以下、本発明の実施形態について図面を参照しつつ説明する。なお、各図面中、同様の構成要素には同一の符号を付して詳細な説明は適宜省略する。
【００２４】
図１は、本発明の実施形態に係るトイレシステムの斜視図である。  
図１に表したように、トイレシステム２（通信システム）は、トイレ装置１０と、鏡ユニット２０と、キャビネット３０と、手洗い器４０と、リモコン５０と、を備える。トイレ装置１０、鏡ユニット２０、キャビネット３０、手洗い器４０、及びリモコン５０は、トイレ室ＴＲ（設置空間）の内部に設けられている。
【００２５】
本願明細書においては、各実施形態の説明のために、「方向」を用いる。これらの「方向」は、全て、トイレ装置１０の便座に着座した使用者からみた場合の方向を表している。例えば、便座に着座した使用者からみて前方を「前方」とし、便座に着座した使用者からみて右側方を「右側方」としている。
【００２６】
トイレ室ＴＲは、例えば、集合住宅や公共施設のトイレ室である。集合住宅では、複数の部屋のトイレ室ＴＲにトイレシステム２が設けられる場合がある。公共施設のトイレ室ＴＲでは、複数のトイレブースが、左右方向又は前後方向に並べて設けられる。図１は、１つのトイレブース内に設置されたトイレシステム２を示している。公共施設のトイレ室ＴＲでは、実際には、複数のトイレブースのそれぞれにトイレシステム２が設けられる。換言すれば、トイレシステム２は、複数のトイレブースのそれぞれに設けられた複数のトイレ装置１０などを備える。
【００２７】
トイレ装置１０は、トイレ室ＴＲの床面ＦＳ上に設置されている。あるいは、トイレ装置１０は、トイレ装置１０後方の側壁に、支柱によって支持されていてもよい。トイレ室ＴＲ（トイレブース）は、複数の壁面に囲まれた空間である。複数の壁面は、例えば平面状に延在する側壁ＳＷ１を含む。
【００２８】
図２は、実施形態に係るトイレシステムを表すブロック図である。  
図２に表したように、トイレ装置１０は、使用者の「おしり」などの局部を洗浄する衛生洗浄装置１０Ｗ（主装置）を有する。キャビネット３０は、例えばキャビネット３０の下に設けられた照明装置３０Ｌ（接続機器）を有する。また、鏡ユニット２０は、照明装置２０Ｌ（接続機器）を有する。
【００２９】
図２において、ブロック同士をつなぐ実線の矢印は、有線通信による信号伝達経路を表す。また、ブロック同士をつなぐ破線の矢印は、無線通信による信号伝達経路を表す。図２に表したように、実施形態に係るトイレシステム２においては、衛生洗浄装置１０Ｗ、リモコン５０、照明装置３０Ｌ、及び照明装置２０Ｌが、無線通信を介して相互に接続されている。衛生洗浄装置１０Ｗ、リモコン５０、照明装置３０Ｌ、及び照明装置２０Ｌは、例えば、それぞれ双方向の無線通信を行う。
【００３０】
リモコン５０は、操作部５２を有する。操作部５２には、例えば、押しボタン式のスイッチやタッチパネルなどの操作部材が設けられる。操作部５２は、使用者からの操作指示を入力可能な任意の構成でよい。リモコン５０は、操作部５２の操作に応じて無線信号を送信する。操作部５２は、例えば、衛生洗浄装置１０Ｗに局部洗浄の開始を指示するための洗浄ボタンや、局部洗浄の停止を指示するための停止ボタンなどの、複数の操作部材を有する。リモコン５０は、操作された操作部材に対応する無線信号を送信する。
【００３１】
衛生洗浄装置１０Ｗは、リモコン５０と無線通信を介して接続され、リモコン５０から送信された無線信号を受信し、受信した無線信号に応じた動作を実行する。このように、衛生洗浄装置１０Ｗは、使用者によるリモコン５０の操作に応じて動作する。
【００３２】
照明装置２０Ｌ、３０Ｌは、リモコン５０及び衛生洗浄装置１０Ｗと無線通信を介して接続される。照明装置２０Ｌ、３０Ｌは、衛生洗浄装置１０Ｗから送信された無線信号に応じて動作を実行する。照明装置２０Ｌ、３０Ｌは、衛生洗浄装置１０Ｗから送信された無線信号に応じて点灯及び消灯を切り替える。
【００３３】
また、照明装置２０Ｌ、３０Ｌは、リモコン５０から送信された無線信号に応じて動作の設定を変更する。照明装置２０Ｌ、３０Ｌは、例えば、リモコン５０から送信された無線信号に応じて、照射する光の照度（明るさ）や色温度（色）を変更する。このように、リモコン５０は、衛生洗浄装置１０Ｗの動作を制御可能であるとともに、照明装置２０Ｌ、３０Ｌの動作の設定を変更可能である。
【００３４】
リモコン５０による照明装置２０Ｌ、３０Ｌの動作の設定は、例えば、衛生洗浄装置１０Ｗを介して行ってもよい。すなわち、照明装置２０Ｌ、３０Ｌの動作を設定する無線信号をリモコン５０から衛生洗浄装置１０Ｗに送信し、衛生洗浄装置１０Ｗから照明装置２０Ｌ、３０Ｌに送信することにより、衛生洗浄装置１０Ｗを経由して送信してもよい。
【００３５】
従って、照明装置２０Ｌ、３０Ｌは、必ずしもリモコン５０とは無線接続されていなくてもよい。照明装置２０Ｌ、３０Ｌは、少なくとも衛生洗浄装置１０Ｗと無線通信を介して接続されていればよい。
【００３６】
次に、トイレシステム２の各要素の具体例について説明する。  
まず、図２、図３（ａ）及び図３（ｂ）を参照して、トイレ装置１０について説明する。図３（ａ）及び図３（ｂ）は、実施形態に係るトイレ装置の平面図及び斜視図である。
【００３７】
図３（ａ）及び図３（ｂ）に表したように、トイレ装置１０は、便器１１と、便座１２と、便蓋１３と、を有する。便座１２は、便器１１の上に設けられている。便蓋１３は、便器１１の上に、便座１２を覆うように設けられている。衛生洗浄装置１０Ｗは、便器１１の後方上部に設けられている。便座１２及び便蓋１３は、衛生洗浄装置１０Ｗによって回動可能に軸支されている。
【００３８】
この例において、衛生洗浄装置１０Ｗは、便器１１に対して略一体に取り付けられた、いわゆる一体型の衛生洗浄装置である。衛生洗浄装置１０Ｗは、例えば、便器１１の上に着脱可能に取り付けられる、いわゆるシート型の衛生洗浄装置でもよい。
【００３９】
図２及び図３（ａ）に示すように、衛生洗浄装置１０Ｗは、洗浄機能部ＷＵと、記憶部１４と、制御部１５と、照明部１６と、人体検知センサ１７と、着座検知センサ１８と、無線通信部１９と、を有する。また、衛生洗浄装置１０Ｗには、照明部１６の電源部が適宜設けられる。
【００４０】
洗浄機能部ＷＵは、例えば、洗浄水を噴射して人体局部の洗浄を行うノズルや、当該ノズルを駆動するモータ等を有する。記憶部１４は、制御に必要となる種々のプログラムやデータを記憶する。制御部１５は、記憶部１４からプログラムを読み出し、逐次処理することにより、衛生洗浄装置１０Ｗの各部を統括的に制御する。記憶部１４には、例えば、フラッシュメモリやＥＥＰＲＯＭ（Electrically Erasable Programmable Read-Only Memory）などの不揮発性のメモリが用いられる。制御部１５には、例えば、ＣＰＵ（Central Processing Unit）やＭＰＵ（Micro-Processing Unit）などのプロセッサが用いられる。
【００４１】
照明部１６は、便器１１の後方に設けられ、例えば、衛生洗浄装置１０Ｗのうち上方に位置する。照明部１６は、点灯時においてトイレ装置１０の後方に向けて光Ｌ１を照射し、トイレ装置１０の後方の壁を照らす。または、照明部１６は、便器１１の両側の側方に設けられていてもよい。この場合、照明部１６は、点灯時においてトイレ装置１０の側方に向けて光を照射する。あるいは、照明部１６は、トイレ装置１０の側方及び後方に設けられていてもよい。
【００４２】
人体検知センサ１７は、例えば、赤外線センサやマイクロ波センサなどであり、トイレ室ＴＲ（トイレブース）に入室した人体を検知する。着座検知センサ１８は、例えば、機械式のスイッチや赤外線を用いた測距センサなどであり、便座１２への人体の着座を検知する。
【００４３】
無線通信部１９は、例えば、衛生洗浄装置１０Ｗのうち上方に位置する。無線通信部１９は、無線通信のための通信手段である。無線通信部１９には、例えば、電波を送受信可能な電波送受信モジュールが用いられる。例えば、無線通信には高周波信号（電波）が用いられる。この電波は、例えば極超短波（Ultra High Frequency：ＵＨＦ）であり、その周波数は、３００ＭＨｚ以上３ＧＨｚ以下程度であり、例えば２．４ＧＨｚである。制御部１５は、無線通信部１９によって、リモコン５０、照明装置３０Ｌ及び照明装置２０Ｌと無線通信を行う。
【００４４】
衛生洗浄装置１０Ｗ、照明装置２０Ｌ、３０Ｌ、及びリモコン５０は、例えば、ＩＥＥＥ８０２．１５．４の国際標準規格に基づいて無線通信を行う。衛生洗浄装置１０Ｗ、照明装置２０Ｌ、３０Ｌ、及びリモコン５０の各機器間の無線通信は、電波を用いた無線通信に限ることなく、例えば、赤外線を用いた光通信などでもよい。各機器間の無線通信は、無線で通信が可能な任意の形態の通信でよい。
【００４５】
制御部１５は、無線通信部１９を介してリモコン５０から、洗浄機能部ＷＵの動作を制御する無線信号を受信する。また、制御部１５は、人体検知センサ１７及び着座検知センサ１８から検知結果に関する信号を受信する。制御部１５は、これらの受信した信号に基づいて、洗浄機能部ＷＵの動作を制御する。
【００４６】
また、制御部１５は、例えば、人体検知センサ１７の検知結果に応じて、照明装置２０Ｌ、３０Ｌの動作を制御する無線信号を無線通信部１９から送信する。制御部１５は、例えば、人体検知センサ１７による人体の検知に応じて、照明装置２０Ｌ、３０Ｌを点灯させる無線信号を送信し、人体検知センサ１７による人体の非検知に応じて、照明装置２０Ｌ、３０Ｌを消灯させる無線信号を送信する。これにより、使用者の入室に応じて照明装置２０Ｌ、３０Ｌを自動的に点灯させ、使用者の退室に応じて照明装置２０Ｌ、３０Ｌを自動的に消灯させることができる。
【００４７】
衛生洗浄装置１０Ｗは、便座１２を温める暖房便座機能や、トイレ室ＴＲ内を脱臭する脱臭機能などを、さらに有していてもよい。
【００４８】
図２及び図４を参照して、照明装置２０Ｌ及び照明装置３０Ｌについて説明する。  
図４は、実施形態に係るトイレシステムを表す正面図である。すなわち、図４は、図１に示したトイレ室ＴＲを前方から見た状態を表す。なお、図４では、説明の便宜上一部の要素を省略している。
【００４９】
図４に表したように、鏡ユニット２０は、照明装置２０Ｌと、支持部２３と、鏡本体２４と、を有する。鏡本体２４は、トイレ室ＴＲ内部の側壁ＳＷ１に、支持部２３によって固定して設けられている。鏡本体２４は、トイレ装置１０の側方に位置しており、トイレ室ＴＲ内部に面する鏡面を有する。照明装置２０Ｌは、鏡本体２４の下端側と、側壁ＳＷ１と、の間に位置する。
【００５０】
照明装置２０Ｌは、制御部２１と、照明部２２（光源部）と、記憶部２８と、無線通信部２９と、を有する。照明装置２０Ｌには、適宜、照明部２２の電源部が設けられる。照明部２２は、点灯時において鏡本体２４の下方に向けて光Ｌ２（図４参照）を照射する。照明部２２の一部は、手洗い器４０の上方に位置しており、照明部２２の点灯時には、光Ｌ２によって手洗い器４０が照らされる。
【００５１】
制御部２１、記憶部２８、及び無線通信部２９は、衛生洗浄装置１０Ｗの記憶部１４、制御部１５、及び無線通信部１９と同様であるから、詳細な説明は省略する。照明装置２０Ｌの制御部２１は、前述のように、衛生洗浄装置１０Ｗからの無線信号に応じて照明部２２の点灯及び消灯を制御する。
【００５２】
キャビネット３０は、内部に空間を有し、この内部空間に物品を収納可能に構成されている。キャビネット３０は、鏡ユニット２０の下方において、トイレ室ＴＲの側壁ＳＷ１に取り付けられている。また、キャビネット３０は、トイレ室ＴＲの床面ＦＳと離間しており、キャビネット３０と床面ＦＳとの間には空間が形成されている。キャビネット３０は、例えば取手が無いプッシュ式の引き出しを有し、使用者は、引き出しの前面を押すことで、引き出しを開けることができる。
【００５３】
図４に表したように、キャビネット３０は、照明装置３０Ｌと、カバー３２と、を有する。カバー３２は、一端がキャビネット３０の底面に固定されている。また、カバー３２は、他端が側壁ＳＷ１に向けて延び、当該他端が床面ＦＳと平行であり且つキャビネット３０の底面と離間するように屈曲している。照明装置３０Ｌは、カバー３２の他端の上に載置されている。このため、照明装置３０Ｌ（照明部３３）は、トイレ室ＴＲの内部からは見えない位置に設けられている。
【００５４】
照明装置３０Ｌは、制御部３１と、照明部３３（光源部）と、記憶部３８と、無線通信部３９と、を有する。制御部３１、記憶部３８、及び無線通信部３９は、衛生洗浄装置１０Ｗの記憶部１４、制御部１５、及び無線通信部１９と同様であるから、詳細な説明は省略する。
【００５５】
照明部３３は、点灯時に側壁ＳＷ１に向けて光Ｌ３（図４参照）を照射する。光Ｌ３の一部は、側壁ＳＷ１によって反射され、キャビネット３０下方の床面ＦＳを照らす。照明装置３０Ｌの制御部３１は、前述のように、衛生洗浄装置１０Ｗからの無線信号に応じて照明部３３の点灯及び消灯を制御する。
【００５６】
手洗い器４０は、ボウル４１と、水栓４２（図１参照）と、を有する。手洗い器４０は、キャビネット３０の一部の上に設けられている。キャビネット３０の中には、ボウル４１の排水口と接続された不図示の配水管が設けられている。照明部２２の点灯時には、手洗い器４０近傍を含むキャビネット３０の上面が照らされる。
【００５７】
リモコン５０は、例えば、キャビネット３０に埋め込まれている。また、リモコン５０の下方には、空間が形成されている。この空間の内部には紙巻器（ペーパーホルダ）が設けられており、この紙巻器によってトイレットペーパーが保持される。
【００５８】
図５（ａ）及び図５（ｂ）は、実施形態に係るリモコンを表す斜視図である。  
図５（ａ）は、リモコン５０が閉じた状態を表し、図５（ｂ）は、リモコン５０が開いた状態を表している。  
図４、図５（ａ）及び図５（ｂ）に表したように、リモコン５０は、制御部５１と、操作部５２と、照明部５３と、照明部５４と、可動部５５と、記憶部５８と、無線通信部５９と、を有する。制御部５１、記憶部５８、及び無線通信部５９は、衛生洗浄装置１０Ｗの記憶部１４、制御部１５、及び無線通信部１９と同様であるから、詳細な説明は省略する。
【００５９】
操作部５２は、例えば、ボタン５２ａ〜５２ｃやタッチスクリーン５２ｄなどの操作部材を有しており、使用者からの操作指示を受ける。可動部５５は、図５（ａ）に表したように、操作部５２をキャビネット３０内に収納した位置と、図５（ｂ）に表したように、操作部５２を前方側に露出させて操作部５２の操作を可能とした位置と、に移動する。可動部５５は、例えば、横方向を軸に回動可能に取り付けられており、回動により上記の各位置に移動する。
【００６０】
操作部５２は、図５（ａ）に表したように、通常はキャビネット３０の内部に収納されている。一方で、着座検知センサ１８が使用者の着座を検知すると、制御部５１に信号が送信され、図５（ｂ）に表したように、使用者が操作可能なように可動部５５が回動して開く。また、可動部５５は、使用者の手動の操作により、任意のタイミングで開閉できるようにしてもよい。
【００６１】
使用者は、操作部５２を介して制御部５１に、トイレシステム２の動作を指示する情報を入力可能である。例えば、使用者は、操作部５２を用いて、局部洗浄機能の開始及び停止や、便器１１の洗浄、便座暖房機能のオン・オフなどを操作することができる。
【００６２】
また、制御部５１は、人体検知センサ１７及び着座検知センサ１８の検知結果をトイレ装置１０の制御部１５から、無線通信部１９、５９を介して受信し、この検知結果に基づいて照明部５３及び照明部５４を点灯または消灯させる。照明部５３は、点灯時において、操作部５２をリモコン５０の内部側から照らす。照明部５４は、点灯時において、リモコン５０の下方に設けられた紙巻器近傍を照らす。
【００６３】
また、使用者は、操作部５２を用いて、トイレシステム２に含まれる各照明部の照度や色温度の設定情報を入力することができる。入力された設定情報に基づいて、リモコン５０から照明部１６、２２、３３の設定信号が送信される。このように使用者は操作部５２を用いて、各照明部を適宜調整することが可能である。
【００６４】
なお、照明部の調整の一例として、照度及び色温度について説明したが、実施形態は、これに限られない。例えば、時間帯の情報が入力可能であってもよい。これにより、トイレシステム２の使い勝手をさらに向上させることができる。例えば、深夜時間帯において、照明を暗くしたり、一部の照明をオフにしたりすることが可能である。照明の眩しさによって、深夜に使用者の眠気が覚めてしまうことを抑制することができる。なお、深夜に限らず、任意の時間帯を設定可能である。
【００６５】
ここでは、リモコン５０がキャビネット３０に埋め込まれている場合について説明したが、リモコン５０は、キャビネット３０の前面に取りつけられたものであってもよい。この場合、リモコン５０は、タッチスクリーン５２ｄや照明部５３などを有していなくてもよい。また、リモコン５０は、例えば、側壁ＳＷ１に取り付けてもよい。
【００６６】
なお、上述した照明部１６、２２、３３、５３、及び５４の光源には、例えばＬＥＤ（Light Emitting Diode）を用いることができる。照明部１６、２２、３３、５３、及び５４の光源は、ＬＥＤに限ることなく、例えば、他の発光素子や電球、あるいは蛍光灯などでもよい。
【００６７】
リモコン５０と照明装置２０Ｌ、３０Ｌとは、同一の壁面（側壁ＳＷ１）に取り付けられる。このため、リモコン５０と照明装置２０Ｌ、３０Ｌとの間には、無線信号を遮蔽する遮蔽物が多くなる傾向にある。例えば、リモコン５０と照明装置３０Ｌとの間には、キャビネット３０や紙巻器などが介在する。リモコン５０と照明装置２０Ｌとの間には、キャビネット３０や手洗い器４０などが介在する。従って、リモコン５０と照明装置２０Ｌ、３０Ｌとの間では、無線信号の受信感度が低くなり易い。
【００６８】
一方、衛生洗浄装置１０Ｗは、床面ＦＳの上に配置される。すなわち、衛生洗浄装置１０Ｗは、リモコン５０などの取付壁面である側壁ＳＷ１から離間した位置に配置される。このため、衛生洗浄装置１０Ｗとリモコン５０との間、及び衛生洗浄装置１０Ｗと照明装置２０Ｌ、３０Ｌとの間は、見通しが利きやすく、遮蔽物が少ない傾向にある。
【００６９】
このように、衛生洗浄装置１０Ｗとリモコン５０との間、及び衛生洗浄装置１０Ｗと照明装置２０Ｌ、３０Ｌとの間は、リモコン５０と照明装置２０Ｌ、３０Ｌとの間に比べて、無線信号が通りやすい。このため、リモコン５０、衛生洗浄装置１０Ｗ、及び照明装置２０Ｌ、３０Ｌが、トイレ室ＴＲ（設置空間）に設置された状態において、衛生洗浄装置１０Ｗから送信された無線信号に対する照明装置２０Ｌ、３０Ｌの受信感度は、リモコン５０から送信された無線信号に対する照明装置２０Ｌ、３０Ｌの受信感度よりも高くなる。
【００７０】
集合住宅では、複数の部屋のトイレ室ＴＲにトイレシステム２が設けられる場合がある。公共施設のトイレ室ＴＲなどでは、トイレ室ＴＲ内に複数のトイレシステム２が設けられる。このような場合、リモコン５０から送信された無線信号により、別のトイレシステム２の衛生洗浄装置１０Ｗなどが誤動作することを抑制するため、１つのトイレシステム２の各機器を相互に関連付けるペアリングと呼ばれる作業が行われる。
【００７１】
ペアリング作業は、例えば、リモコン５０の操作部５２において所定の操作を行うことによって実行される。所定の操作とは、例えば、所定の操作部材の長押しなどである。これにより、ペアリング作業専用の操作部材を操作部５２に設ける必要をなくすことができる。リモコン５０の記憶部５８には、リモコン５０を識別するための識別情報ＩＤが記憶されている。リモコン５０の制御部５１は、操作部５２の所定の操作によって使用者からペアリング作業の実行を指示されると、識別情報ＩＤを含む第１ペアリング信号を衛生洗浄装置１０Ｗに送信する。このように、リモコン５０は、操作部５２の所定の操作に応じて、第１ペアリング信号を送信する。
【００７２】
衛生洗浄装置１０Ｗの制御部１５は、第１ペアリング信号を受信すると、その第１ペアリング信号に含まれる識別情報ＩＤを記憶部１４に書き込むことにより、識別情報ＩＤを記憶部１４に記憶する。また、制御部１５は、第１ペアリング信号を受信すると、識別情報ＩＤを含む第２ペアリング信号を照明装置２０Ｌ、３０Ｌに送信する。そして、制御部１５は、識別情報ＩＤを記憶した後には、識別情報ＩＤの一致するリモコン５０及び照明装置２０Ｌ、３０Ｌのみと無線通信を行う。
【００７３】
照明装置２０Ｌの制御部２１は、第２ペアリング信号を受信すると、その第２ペアリング信号に含まれる識別情報ＩＤを記憶部２８に書き込むことにより、識別情報ＩＤを記憶部２８に記憶する。そして、照明装置２０Ｌの制御部２１は、識別情報ＩＤを記憶した後には、識別情報ＩＤの一致するリモコン５０及び衛生洗浄装置１０Ｗのみと無線通信を行う。また、照明装置３０Ｌの制御部３１は、第２ペアリング信号を受信すると、照明装置２０Ｌの制御部２１と同様の動作を実行する。
【００７４】
リモコン５０は、操作部５２の操作に応じて無線信号を送信する場合に、局部洗浄の開始などの動作の実行を指示する制御情報と、識別情報ＩＤと、を無線信号に含める。リモコン５０は、例えば、制御情報と識別情報ＩＤとを含む所定のフォーマットのパケットを無線信号として送信する。受け側の機器は、無線信号を受信した場合に、無線信号に含まれる識別情報ＩＤが、記憶した識別情報ＩＤと一致するか否かを確認する。一致する場合には、無線信号に含まれる制御情報に対応する動作を実行する。一方、一致しない場合には、無線信号の制御情報を受け付けず、動作を実行しない。
【００７５】
これにより、ペアリング作業を行った後には、識別情報ＩＤを共有する同じトイレシステム２内の各機器間でのみ無線通信が行われるようになり、衛生洗浄装置１０Ｗなどの誤動作を抑制することができる。
【００７６】
図６は、実施形態に係るトイレシステムの動作の一例を表すフローチャートである。  
図６に表したように、トイレシステム２においてペアリング作業を行う場合には、まず、リモコン５０の操作部５２において所定の操作を行うことにより、ペアリング作業の開始をリモコン５０の制御部５１に指示する（図６のステップＳ１０１）。
【００７７】
リモコン５０の制御部５１は、ペアリング作業の開始を指示されると、通常の動作モードからペアリング作業を実行するペアリングモードに移行する。制御部５１は、ペアリングモードに移行すると、衛生洗浄装置１０Ｗに識別情報ＩＤを含む第１ペアリング信号を送信する（図６のステップＳ１０２）。
【００７８】
衛生洗浄装置１０Ｗの制御部１５は、第１ペアリング信号を受信すると、記憶部１４を参照することにより、既に識別情報ＩＤを記憶しているか否かを確認する（図６のステップＳ１０３）。
【００７９】
制御部１５は、識別情報ＩＤを既に記憶している場合には、受信した第１ペアリング信号に含まれる識別情報ＩＤを記憶することなく、ペアリング作業を終了し、通常の動作状態あるいはスリープ状態に戻る（図６のステップＳ１０４）。これにより、例えば、隣接するトイレシステム２の別の衛生洗浄装置１０Ｗなどが、誤って識別情報ＩＤを上書きしてしまうことなどを抑制することができる。従って、より確実にペアリング作業を行うことができる。
【００８０】
制御部１５は、識別情報ＩＤを記憶していない場合には、受信した第１ペアリング信号に含まれる識別情報ＩＤを記憶部１４に記憶する（図６のステップＳ１０５）。
【００８１】
制御部１５は、識別情報ＩＤを記憶した後、照明装置２０Ｌ、３０Ｌに識別情報ＩＤを含む第２ペアリング信号を送信する（図６のステップＳ１０６）。
【００８２】
照明装置２０Ｌの制御部２１は、第２ペアリング信号を受信すると、記憶部２８を参照することにより、既に識別情報ＩＤを記憶しているか否かを確認する。同様に、照明装置３０Ｌの制御部３１は、第２ペアリング信号を受信すると、記憶部３８を参照することにより、既に識別情報ＩＤを記憶しているか否かを確認する（図６のステップＳ１０７）。
【００８３】
制御部２１、３１は、識別情報ＩＤを既に記憶している場合には、受信した第２ペアリング信号に含まれる識別情報ＩＤを記憶することなく、ペアリング作業を終了し、通常の動作状態あるいはスリープ状態に戻る（図６のステップＳ１０８）。
【００８４】
制御部２１、３１は、識別情報ＩＤを記憶していない場合には、受信した第２ペアリング信号に含まれる識別情報ＩＤを記憶部２８、３８に記憶する（図６のステップＳ１０９）。
【００８５】
制御部２１、３１は、識別情報ＩＤを記憶した後、衛生洗浄装置１０Ｗに受信完了信号を送信し、通常の動作状態あるいはスリープ状態に戻る（図６のステップＳ１１０）。
【００８６】
制御部１５は、照明装置２０Ｌ、３０Ｌから送信された受信完了信号を受信した後、リモコン５０に受信完了信号を送信し、通常の動作状態あるいはスリープ状態に戻る。リモコン５０の制御部５１は、衛生洗浄装置１０Ｗから受信完了信号を受信すると、ペアリングモードを終了し、通常の動作モードに戻る（図６のステップＳ１１１）。
【００８７】
以上により、トイレシステム２のペアリング作業が終了する。これにより、衛生洗浄装置１０Ｗ、照明装置２０Ｌ、３０Ｌ、及びリモコン５０のそれぞれが、同じ識別情報ＩＤで相互に関連付けられる。
【００８８】
以上、説明したように、本実施形態に係るトイレシステム２によれば、リモコン５０と衛生洗浄装置１０Ｗとを無線通信を介して接続するとともに、衛生洗浄装置１０Ｗと照明装置２０Ｌ、３０Ｌとをさらに無線通信を介して接続する場合においても、リモコン５０の操作部５２を操作することにより、各機器間のペアリングの作業を容易に行うことができる。また、ペアリングの作業のための専用の機器などを別途用意する必要もなく、トイレシステム２の構成が複雑になったり、部品点数が増加したりすることも抑制することができる。すなわち、簡単な構成で容易にペアリングの作業を容易に行うことができる。
【００８９】
また、トイレシステム２では、リモコン５０が、照明装置２０Ｌ、３０Ｌの動作の設定を変更可能に構成されている。これにより、設定を変更することによって照明装置２０Ｌ、３０Ｌに様々な動作を行わせることができ、トイレシステム２の利便性を向上させることができる。
【００９０】
また、トイレシステム２では、リモコン５０、衛生洗浄装置１０Ｗ、及び照明装置２０Ｌ、３０Ｌが、トイレ室ＴＲに設置された状態において、衛生洗浄装置１０Ｗから送信された無線信号に対する照明装置２０Ｌ、３０Ｌの受信感度は、リモコン５０から送信された無線信号に対する照明装置２０Ｌ、３０Ｌの受信感度よりも高い。このように、リモコン５０と照明装置２０Ｌ、３０Ｌとの間の無線通信が難しい環境であった場合でも、衛生洗浄装置１０Ｗから照明装置２０Ｌ、３０Ｌに第２ペアリング信号を送信することにより、衛生洗浄装置１０Ｗと照明装置２０Ｌ、３０Ｌとの間のペアリングを確実に行うことができる。
【００９１】
図７は、実施形態に係るトイレシステムの別の動作を表すフローチャートである。  
図７に表したように、この例においては、ペアリング作業を行う場合に、まず、衛生洗浄装置１０Ｗ、照明装置２０Ｌ、３０Ｌの各機器の電源を投入する（図７のステップＳ２０１）。電源の投入は、例えば、電源コードのプラグをコンセントに差し込むことによって行ってもよいし、電源スイッチなどを操作することによって行ってもよい。
【００９２】
衛生洗浄装置１０Ｗの制御部１５は、電源の投入に応じて起動すると、第１ペアリング信号を受信するための受信待機状態となる。また、照明装置２０Ｌ、３０Ｌの制御部２１、３１は、電源の投入に応じて起動すると、第２ペアリング信号を受信するための受信待機状態となる（図７のステップＳ２０２）。受信待機状態は、例えば、起動から所定期間継続される。各機器は、例えば、起動から所定期間の経過の後、受信待機状態から通常の動作状態あるいはスリープ状態に移行する。
【００９３】
電源を投入して各機器を受信待機状態にした後、リモコン５０の操作部５２において所定の操作を行うことにより、ペアリング作業の開始をリモコン５０の制御部５１に指示する（図７のステップＳ２０３）。以下、ステップＳ２０４〜Ｓ２１３の各動作については、図６に関して説明したステップＳ１０２〜Ｓ１１１の各動作と実質的に同じであるから、詳細な説明は省略する。
【００９４】
このように、電源の投入に応じて、衛生洗浄装置１０Ｗ、照明装置２０Ｌ、３０Ｌの各機器を受信待機状態に設定してもよい。これにより、衛生洗浄装置１０Ｗにおいて第１ペアリング信号を受信し易くすることができるとともに、照明装置２０Ｌ、３０Ｌにおいて第２ペアリング信号を受信し易くすることができ、ペアリングの作業をより確実に行うことができる。また、例えば、受信待機状態になっている場合にのみペアリング信号を受信することにより、別のトイレシステム２の各機器が、誤って識別情報ＩＤを記憶してしまうことを抑制することができる。
【００９５】
図８は、実施形態に係るトイレシステムの変形例を表すブロック図である。  
図８に表したように、トイレシステム２ａにおいては、衛生洗浄装置１０Ｗが、操作部７１をさらに有し、照明装置２０Ｌが、操作部７２をさらに有し、照明装置３０Ｌが、操作部７３をさらに有する。なお、上記実施形態と機能・構成上実質的に同じものについては、同符号を付し、詳細な説明は省略する。
【００９６】
操作部７１は、有線又は無線を介して制御部１５と接続され、操作に応じて制御部１５に第１ペアリング信号の受信待機状態への移行を指示する。操作部７２は、有線又は無線を介して制御部２１と接続され、操作に応じて制御部２１に第２ペアリング信号の受信待機状態への移行を指示する。同様に、操作部７３は、有線又は無線を介して制御部３１と接続され、操作に応じて制御部３１に第２ペアリング信号の受信待機状態への移行を指示する。
【００９７】
操作部７１〜７３は、受信待機状態への移行を指示するための専用の操作部材でもよいし、他の指示の入力するための操作部材と兼用されていてもよい。例えば、操作部７１〜７３を押しボタン式のスイッチとした場合に、通常の押圧操作が行われた場合には、通常の指示を制御部１５、２１、３１に入力し、所定時間長押しされた場合に、受信待機状態への移行の指示を制御部１５、２１、３１に入力するようにしてもよい。このように、操作部７１〜７３は、所定の操作が行われた場合にのみ、受信待機状態への移行の指示を制御部１５、２１、３１に入力してもよい。
【００９８】
図９は、変形例のトイレシステムの動作の一例を表すフローチャートである。  
図９に表したように、この例においては、ペアリング作業を行う場合に、まず、衛生洗浄装置１０Ｗ、照明装置２０Ｌ、３０Ｌの各機器の操作部７１〜７３を操作する（図９のステップＳ３０１）。操作部７１〜７３は、操作に応じて受信待機状態への移行の指示を制御部１５、２１、３１に入力する。
【００９９】
衛生洗浄装置１０Ｗの制御部１５は、受信待機状態への移行の指示を受信すると、通常の動作状態あるいは一部の機能を停止させたスリープ状態から第１ペアリング信号の受信待機状態となる。また、照明装置２０Ｌ、３０Ｌの制御部２１、３１は、受信待機状態への移行の指示を受信すると、通常の動作状態あるいは一部の機能を停止させたスリープ状態から第２ペアリング信号の受信待機状態となる（図９のステップＳ３０２）。
【０１００】
以下、ステップＳ３０３〜Ｓ３１３の各動作については、図７に関して説明したステップＳ２０３〜Ｓ２１３の各動作と実質的に同じであるから、詳細な説明は省略する。このように、各機器を受信待機状態にする方法は、操作部７１〜７３の操作によって行ってもよい。
【０１０１】
図１０は、実施形態に係るトイレシステムの別の動作を表すフローチャートである。  
図１０に表したように、この例においては、ペアリング作業を行う場合に、まず、リモコン５０の操作部５２で所定の操作を行ってペアリング作業の開始をリモコン５０の制御部５１に指示し、リモコン５０から第１ペアリング信号を送信する（図１０のステップＳ４０１、Ｓ４０２）。
【０１０２】
この例では、衛生洗浄装置１０Ｗの制御部１５が、第１ペアリング信号を受信するとともに、照明装置２０Ｌ、３０Ｌの制御部２１、３１も、第１ペアリング信号を受信する。照明装置２０Ｌ、３０Ｌの制御部２１、３１は、第１ペアリング信号を受信することにより、通常の動作状態あるいは一部の機能を停止させたスリープ状態から第２ペアリング信号を受信するための受信待機状態となる（図１０のステップＳ４０３）。
【０１０３】
以下、ステップＳ４０４〜Ｓ４１２の各動作については、図６に関して説明したステップＳ１０３〜Ｓ１１１の各動作と実質的に同じであるから、詳細な説明は省略する。
【０１０４】
このように、照明装置２０Ｌ、３０Ｌは、第１ペアリング信号の受信に応じて、受信待機状態に移行させてもよい。これにより、照明装置２０Ｌ、３０Ｌにおいて第２ペアリング信号を受信し易くし、ペアリングの作業をより確実に行うことができる。
【０１０５】
この場合、衛生洗浄装置１０Ｗは、電源の投入や操作部７１の操作などによって、第１ペアリング信号を受信するための受信待機状態にしてもよい。また、各機器の受信待機状態への移行は、例えば、リモコン５０から送信された無線信号に基づいて行ってもよい。例えば、リモコン５０からペアリング開始信号を送信し、このペアリング開始信号の受信に応じて、衛生洗浄装置１０Ｗ、及び照明装置２０Ｌ、３０Ｌの各機器を受信待機状態に移行させてもよい。
【０１０６】
図１１は、実施形態に係るトイレシステムの別の動作を表すフローチャートである。  
図１１において、ステップＳ５０１〜Ｓ５０９の各動作は、図６に関して説明したステップＳ１０１〜Ｓ１０９の各動作と実質的に同じであるから、詳細な説明は省略する。
【０１０７】
照明装置２０Ｌ、３０Ｌの制御部２１、３１は、第２ペアリング信号を受信して識別情報ＩＤを記憶した後、衛生洗浄装置１０Ｗに受信完了信号を送信する（図１１のステップＳ５１０）。この際、制御部２１、３１は、受信完了信号に識別情報ＩＤを含める。
【０１０８】
衛生洗浄装置１０Ｗの制御部１５は、受信完了信号を受信すると、受信完了信号に含まれる識別情報ＩＤと、リモコン５０から受信した第１ペアリング信号に含まれる識別情報ＩＤと、が一致するか否かを判定することにより、識別情報ＩＤを照合する（図１１のステップＳ５１１）。このように、照明装置２０Ｌ、３０Ｌは、第２ペアリング信号を受信した後、衛生洗浄装置１０Ｗと受信した識別信号を照合する。
【０１０９】
制御部１５は、一致しないと判定した場合、不一致であることを表す不一致信号を照明装置２０Ｌ、３０Ｌに送信するとともに、記憶部１４に記憶した識別情報ＩＤを消去する。照明装置２０Ｌ、３０Ｌの制御部２１、３１は、不一致信号を受信すると、記憶部２８、３８に記憶した識別情報ＩＤを消去する（図１１のステップＳ５１２）。
【０１１０】
制御部１５は、一致すると判定した場合、識別情報ＩＤを含む受信完了信号をリモコン５０に送信する（図１１のステップＳ５１３）。
【０１１１】
リモコン５０の制御部５１は、受信完了信号を受信すると、受信完了信号に含まれる識別情報ＩＤと、記憶部５８に記憶された識別情報ＩＤと、が一致するか否かを判定することにより、識別情報ＩＤを照合する（図１１のステップＳ５１４）。このように、衛生洗浄装置１０Ｗは、照明装置２０Ｌ、３０Ｌとの照合を行った後、リモコン５０と受信した識別情報ＩＤを照合する。
【０１１２】
制御部５１は、一致しないと判定した場合、不一致であることを表す不一致信号を衛生洗浄装置１０Ｗに送信する。衛生洗浄装置１０Ｗの制御部１５は、不一致信号を受信すると、その不一致信号を照明装置２０Ｌ、３０Ｌに転送するとともに、記憶部１４に記憶した識別情報ＩＤを消去する。照明装置２０Ｌ、３０Ｌの制御部２１、３１は、不一致信号を受信すると、記憶部２８、３８に記憶した識別情報ＩＤを消去する。
【０１１３】
一方、制御部５１は、一致すると判定した場合、一致していることを表す一致信号を衛生洗浄装置１０Ｗに送信する。衛生洗浄装置１０Ｗの制御部１５は、一致信号を受信すると、その一致信号を照明装置２０Ｌ、３０Ｌに転送するとともに、記憶部１４に記憶した識別情報ＩＤを確定させる。照明装置２０Ｌ、３０Ｌの制御部２１、３１は、一致信号を受信すると、記憶部２８、３８に記憶した識別情報ＩＤを確定させる（図１１のステップＳ５１５）。
【０１１４】
このように、ペアリング信号を受信した後、各機器間で受信した識別情報ＩＤを照合させてもよい。これにより、例えば、通信不良などにともなって誤った識別情報ＩＤを記憶してしまうことを抑制することができる。従って、ペアリングの作業をより確実に行うことができる。
【０１１５】
例えば、液晶ディスプレイなどの報知部をリモコン５０に設けてもよい。例えば、識別情報ＩＤが一致しないと判定され、各機器で識別情報ＩＤが記憶されなかった場合に、ペアリングが正常に行われなかったことを、報知部から使用者などに報知してもよい。
【０１１６】
例えば、識別情報ＩＤが一致しないと判定された場合には、衛生洗浄装置１０Ｗ、照明装置２０Ｌ、３０Ｌにおいて、第１ペアリング信号及び第２ペアリング信号を再受信させてもよい。すなわち、各機器間の識別情報ＩＤが一致するまで、第１ペアリング信号及び第２ペアリング信号の受信と照合とを繰り返させてもよい。
【０１１７】
上記実施形態では、無線通信を介して衛生洗浄装置１０Ｗと接続される接続機器の一例として、照明装置２０Ｌ、３０Ｌを示している。接続機器は、照明装置２０Ｌ、３０Ｌに限ることなく、例えば、手洗い器４０に温水を供給する電気温水器などでもよい。例えば、人体検知センサ１７又は着座検知センサ１８の検知結果に応じて、電気温水器を動作させ、温水を生成させてもよい。
【０１１８】
上記実施形態では、通信システムの一例としてトイレシステム２を示している。通信システムは、これに限ることなく、例えば、キッチン、浴室、又は洗面所などで用いられるシステムでもよい。通信システムは、リモコンと、主装置と、接続機器と、を備え、これらが無線通信によって相互に接続された任意のシステムでよい。
【０１１９】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、トイレシステム２などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１２０】
２ トイレシステム、  １０ トイレ装置、  １０Ｗ 衛生洗浄装置、  １１ 便器、  １２ 便座、  １３ 便蓋、  １４ 記憶部、  １５ 制御部、  １６ 照明部、  １７ 人体検知センサ、  １８ 着座検知センサ、  １９ 無線通信部、  ２０ 鏡ユニット、  ２０Ｌ 照明装置、  ２１ 制御部、  ２２ 照明部、  ２３ 支持部、  ２４ 鏡本体、  ２８ 記憶部、  ２９ 無線通信部、  ３０ キャビネット、  ３０Ｌ 照明装置、  ３１ 制御部、  ３２ カバー、  ３３ 照明部、  ３８ 記憶部、  ３９ 無線通信部、  ４０ 手洗い器、  ４１ ボウル、  ４２ 水栓、  ５０ リモコン、  ５１ 制御部、  ５２ 操作部、  ５２ａ〜５２ｃ ボタン、  ５２ｄ タッチスクリーン、  ５３、５４ 照明部、  ５５ 可動部、  ５９ 無線通信部、  ７１〜７３ 操作部、  ＦＳ 床面、  Ｌ１〜Ｌ３ 光、  ＳＷ１ 側壁、  ＴＲ トイレ室、  ＷＵ 洗浄機能部
【図１】
2018145688.tif 000003
【図２】
2018145688.tif 000004
【図３】
2018145688.tif 000005
【図４】
2018145688.tif 000006
【図５】
2018145688.tif 000007
【図６】
2018145688.tif 000008
【図７】
2018145688.tif 000009
【図８】
2018145688.tif 000010
【図９】
2018145688.tif 000011
【図１０】
2018145688.tif 000012
【図１１】
2018145688.tif 000013